(57)【要約】【課題】発光不良の発光素子を精度よく検出する。【解決手段】照明点灯装置１は、直列に接続された複数の発光素子５を点灯させる。照明点灯装置１は、一の光センサ３１と、検出部３２とを備える。光センサ３１は、複数の発光素子５から放射される光を検出する。検出部３２は、光センサ３１で検出される光に基づいて複数の発光素子５の発光不良を検出する。検出部３２は、複数の発光素子５の点灯初期に発光不良検出処理を行う。【選択図】図１
2020057480.tif 000002
【特許請求の範囲】
【請求項１】
直列に接続された複数の発光素子を点灯させる照明点灯装置であって、
前記複数の発光素子から放射される光を検出する一の光センサと、
前記光センサで検出される光に基づいて前記複数の発光素子の発光不良を検出する発光不良検出処理を行う検出部と、を備え、
前記検出部は、前記複数の発光素子の点灯初期に前記発光不良検出処理を行う、
照明点灯装置。
【請求項２】
前記検出部は、
前記複数の発光素子に並列に接続されている２以上のスイッチと、
前記２以上のスイッチを１つずつ順番にオン状態にすることによって、前記複数の発光素子の発光不良を検出する処理部と、を有する、
請求項１に記載の照明点灯装置。
【請求項３】
前記２以上のスイッチは、前記複数の発光素子と一対一に対応し、対応する発光素子に並列に接続されている、
請求項２に記載の照明点灯装置。
【請求項４】
前記処理部は、発光不良を検出した場合、発光不良の発光素子に対応するスイッチをオン状態にして、前記発光不良の発光素子の両端を短絡する、
請求項２又は３に記載の照明点灯装置。
【請求項５】
前記処理部は、前記発光不良を検出した場合、前記発光不良の発光素子に対応する前記スイッチをオン状態にして、前記発光不良の発光素子の両端を短絡し、かつ、前記複数の発光素子へ供給する電流を増加させる、
請求項４に記載の照明点灯装置。
【請求項６】
前記処理部は、前記光センサで検出される光の光量が閾値以上を維持した場合に、前記発光不良を検出し、
前記閾値は、前記光センサで直近に検出された光の光量よりも低い値である、
請求項２〜５のいずれか１項に記載の照明点灯装置。
【請求項７】
前記処理部が前記２以上のスイッチを１つずつ順番にオン状態にしたときにおける切替間隔は１００ｍｓ以下である、
請求項２〜６のいずれか１項に記載の照明点灯装置。
【請求項８】
前記検出部は、前記光センサで検出される光の光量が低下すると、前記発光不良検出処理を行う、
請求項１〜７のいずれか１項に記載の照明点灯装置。
【請求項９】
前記複数の発光素子を調光点灯させる調光機能を有する点灯部を更に備え、
前記検出部は、前記点灯部が調光制御を行っている間は、前記発光不良検出処理を停止する、
請求項１〜８のいずれか１項に記載の照明点灯装置。
【請求項１０】
前記複数の発光素子を調光点灯させる調光機能を有する点灯部を更に備え、
前記点灯部は、前記検出部が前記発光不良検出処理を行っているときは、調光制御を行わない、
請求項１〜９のいずれか１項に記載の照明点灯装置。
【請求項１１】
前記複数の発光素子の各々は、レーザダイオードである、
請求項１〜１０のいずれか１項に記載の照明点灯装置。
【請求項１２】
請求項１〜１１のいずれか１項に記載の照明点灯装置と、
前記複数の発光素子と、
前記複数の発光素子から放射される光を導光する光学部と、を備える、
照明装置。
【請求項１３】
請求項１２に記載の照明装置と、
前記照明点灯装置の前記光学部からの光を放射する発光部と、を備える、
照明器具。
【請求項１４】
前記照明点灯装置の前記光学部からの光を前記発光部に導光する光ファイバを更に備える、
請求項１３に記載の照明器具。
【発明の詳細な説明】
【技術分野】
【０００１】
本開示は、一般に照明点灯装置、照明装置、及び照明器具に関し、より詳細には、直列に接続された複数の発光素子を点灯させる照明点灯装置、この照明点灯装置を備える照明装置、及び、この照明装置を備える照明器具に関する。
【背景技術】
【０００２】
従来、ＬＥＤを点灯させる照明装置として、ＬＥＤの故障を検出するＬＥＤ照明装置が知られている（例えば、特許文献１参照）。
【０００３】
特許文献１に記載のＬＥＤ照明装置では、全てのＬＥＤに対して並列にＦＥＴが挿入されている。特許文献１に記載のＬＥＤ照明装置は、ＬＥＤの故障を検出し、ＦＥＴがオンすることにより、故障したＬＥＤをバイパスして電流を流す。
【先行技術文献】
【特許文献】
【０００４】
【特許文献１】特開２００７−３０５９２９号公報
【発明の概要】
【発明が解決しようとする課題】
【０００５】
ところで、特許文献１に記載の従来の照明装置では、ＬＥＤのような発光素子が故障してオープンになったとき、発光素子に電流が流れなくなるため、発光素子の発光不良を検出することができる。
【０００６】
しかしながら、従来の照明装置では、発光素子に電流が流れているが光を放射しないという、発光素子の発振不良を検出することができないという問題があった。「発光素子の発光不良」とは、発光素子に電流が流れないために発光素子が光を放射しないという不良だけでなく、発光素子の発振不良も含む。「発光素子の発振不良」とは、発光素子に電流が流れているが、発光素子の発振動作に問題が発生して発光素子が光を放射しないという不良である。発光素子の特性として発振不良が発生する可能性がある。
【０００７】
上記問題に対して、直列に接続された発光素子の数を増加させることによって、発光素子の発振不良が発生しても、複数の発光素子から放射される光の光量への影響を小さくすることが可能である。しかしながら、発光素子の数が増加することによって、コストが増加するという新たな問題が発生する。
【０００８】
本開示は上記の点に鑑みてなされており、本開示の目的は、発光不良の発光素子を精度よく検出することができる照明点灯装置、照明点灯装置を備える照明装置、及び、照明装置を備える照明器具を提供することにある。
【課題を解決するための手段】
【０００９】
本開示の一態様に係る照明点灯装置は、直列に接続された複数の発光素子を点灯させる照明点灯装置である。前記照明点灯装置は、一の光センサと、検出部と、を備える。前記光センサは、前記複数の発光素子から放射される光を検出する。前記検出部は、前記光センサで検出される光に基づいて前記複数の発光素子の発光不良を検出する。前記検出部は、前記複数の発光素子の点灯初期に前記発光不良検出処理を行う。
【００１０】
本開示の一態様に係る照明装置は、前記照明点灯装置と、前記複数の発光素子と、光学部と、を備える。前記光学部は、前記複数の発光素子から放射される光を導光する。
【００１１】
本開示の一態様に係る照明器具は、前記照明装置と、発光部と、を備える。前記発光部は、前記照明点灯装置の前記光学部からの光を放射する。
【発明の効果】
【００１２】
本開示の上記態様に係る照明点灯装置、照明装置、及び照明器具によれば、発光不良の発光素子を精度よく検出することができる。
【図面の簡単な説明】
【００１３】
【図１】図１は、実施形態に係る照明器具の概略図である。
【図２】図２は、同上の照明器具の照明点灯装置におけるＡＣ／ＤＣ変換部の回路図である。
【図３】図３は、同上の照明器具の照明点灯装置におけるＤＣ／ＤＣ変換部の回路図である。
【図４】図４は、同上の照明器具の照明点灯装置における光センサ及び検出部の回路図である。
【図５】図５は、同上の照明器具における機能を説明するための概略図である。
【図６】図６は、同上の照明器具の外観図である。
【図７】図７は、同上の照明点灯装置の電源投入時における機能を説明するための概略図である。
【図８】図８は、同上の照明点灯装置の通常点灯時における機能を説明するための概略図である。
【図９】図９は、同上の照明点灯装置の動作を示すフローチャートである。
【図１０】図１０は、実施形態の変形例に係る照明器具における機能を説明するための概略図である。
【発明を実施するための形態】
【００１４】
以下、実施形態に係る照明点灯装置、照明装置、及び照明器具について、図面を参照して説明する。下記の実施形態等において説明する各図は、模式的な図であり、図中の各構成要素の大きさや厚さそれぞれの比が、必ずしも実際の寸法比を反映しているとは限らない。
【００１５】
（実施形態）
（１）照明点灯装置の全体構成
本実施形態に係る照明点灯装置の全体構成について、図面を参照して説明する。
【００１６】
照明点灯装置１は、図１に示すように、点灯部２と、一の光センサ３１と、検出部３２とを備える。照明点灯装置１は、直列に接続された複数の発光素子５を点灯させる装置である。照明点灯装置１は、複数の発光素子５と共に照明装置４を構成する。
【００１７】
照明点灯装置１は、例えば、水中から光を放射する水中照明器具に用いられたり、自動車の前照灯に用いられたりする。
【００１８】
（２）照明装置
照明装置４は、図１に示すように、照明点灯装置１と、複数（図示例では４つ）の発光素子５と、光学部６とを備える。さらに、照明装置４は、図６に示すように、筐体４１を備える。筐体４１は、照明点灯装置１と複数の発光素子５と光学部６とを収容する。
【００１９】
照明装置４は、後述の発光部９と共に用いられ、上述したように、水中照明器具に用いられたり、自動車の前照灯に用いられたりする。
【００２０】
（２．１）発光素子
複数の発光素子５は、それぞれ例えばレーザダイオードであり、互いに直列に接続されている。図１の例では、複数の発光素子５は、第１発光素子５１と、第２発光素子５２と、第３発光素子５３と、第４発光素子５４とで構成されている。各発光素子５は、例えば青色光を放射する。
【００２１】
（２．２）光学部
光学部６は、図５に示すように、複数の発光素子５から放射される光を導光する。光学部６は、少なくとも１つの光学部品で構成されており、複数の発光素子５から放射される光を集光する。光学部６には、後述の光ファイバ８が接続されており、光学部６で集光された光は、光学部６から光ファイバ８に入って照明装置４の外部に出力される。
【００２２】
（３）照明器具
照明器具７は、図５に示すように、照明装置４と、光ファイバ８と、発光部９とを備える。
【００２３】
（３．１）光ファイバ
光ファイバ８は、図５に示すように、照明装置４と発光部９とを光学的に接続する。光ファイバ８には、照明点灯装置１の光学部６からの光が通る。
【００２４】
（３．２）発光部
発光部９は、図５に示すように、光ファイバ８からの光を放射する。発光部９は、光変換部材９１と、配光光学系９２とを備える。さらに、発光部９は、図６に示すように、筐体９３を備える。筐体９３は、光変換部材９１と配光光学系９２とを収容する。
【００２５】
光変換部材９１は、透光性材料に蛍光体が混合されている部材である。蛍光体は、例えば黄色蛍光体である。黄色蛍光体は、例えば、Ｃｅで付活されたＹ３Ａｌ５Ｏ１２、又はＥｕで付活されたＢａ２ＳｉＯ４である。蛍光体は、照明装置４から出力されて光ファイバ８を通ってきた青色光の一部により励起されて、黄色光を放射する。光変換部材９１は、残りの青色光と黄色光との混色光である白色光を出力する。
【００２６】
配光光学系９２は、少なくとも１つの光学部品で構成されており、光変換部材９１から出力された白色光を配光制御して発光部９の外部に出力する。
【００２７】
（４）照明点灯装置の各構成要素
以下、照明点灯装置１の各構成要素について、図面を参照して説明する。
【００２８】
（４．１）点灯部
点灯部２は、図１に示すように、ＡＣ／ＤＣ変換部２１と、ＤＣ／ＤＣ変換部２２と、調光信号受信部２３とを備える。また、点灯部２は、複数の発光素子５を調光点灯させる調光機能を有する。
【００２９】
（４．１．１）ＡＣ／ＤＣ変換部
ＡＣ／ＤＣ変換部２１は、図１に示すように、電源Ｐ１に電気的に接続されており、電源Ｐ１から電圧を受けている。電源Ｐ１は、例えば商用交流電源（ＡＣ１００Ｖ５０／６０Ｈｚ又はＡＣ２００Ｖ５０／６０Ｈｚ等）である。ＡＣ／ＤＣ変換部２１は、複数の発光素子５に必要な直流の定電圧をＤＣ／ＤＣ変換部２２に出力する。ＡＣ／ＤＣ変換部２１は、ＤＣ／ＤＣ変換部２２への出力電圧を、例えばＤＣ６０Ｖ又はＤＣ３０Ｖのような、発光素子５に必要な電圧（例えば、ＤＣ２０Ｖ）以上に設定する。
【００３０】
ＡＣ／ＤＣ変換部２１は、図２に示すように、フィルタ２４と、整流回路２５と、平滑コンデンサＣ１と、昇圧回路２６とを備える。ＡＣ／ＤＣ変換部２１は、電圧検出回路２１１と、ＡＣ／ＤＣ制御部２１２とを備える。ＡＣ／ＤＣ変換部２１は、例えば、定電圧出力の絶縁型のフライバック方式である。
【００３１】
フィルタ２４は、電源Ｐ１の両端に電気的に接続されており、電源ライン上のノイズを低減させる。
【００３２】
整流回路２５は、例えばダイオードブリッジであり、電源Ｐ１からの交流電圧を整流する。整流された脈流電圧は、平滑コンデンサＣ１に印加される。
【００３３】
平滑コンデンサＣ１は、整流回路２５の出力間に電気的に接続されており、整流回路２５で整流された脈流電圧を平滑にする。平滑コンデンサＣ１で平滑された直流電圧は、昇圧回路２６に出力される。
【００３４】
昇圧回路２６は、フライバック方式のコンバータ回路であり、平滑コンデンサＣ１で平滑された直流電圧を昇圧する。昇圧回路２６は、トランスＴ１と、スイッチング素子Ｑ１と、ダイオードＤ１と、平滑コンデンサＣ２とを備える。
【００３５】
トランスＴ１は、一次巻線ｎ１と、二次巻線ｎ２とを備える。トランスＴ１は、一次巻線ｎ１に接続されている入力側と二次巻線ｎ２に接続されている出力側との間を電気的に絶縁する絶縁型フライバックトランスである。一次巻線ｎ１は、平滑コンデンサＣ１の両端に電気的に接続されている。二次巻線ｎ２は、ＤＣ／ＤＣ変換部２２の入力に電気的に接続されている。
【００３６】
スイッチング素子Ｑ１は、例えばｎチャネル・エンハンスメント型のＭＯＳＦＥＴ（Metal-Oxide-Semiconductor Field-Effect Transistor）である。スイッチング素子Ｑ１は、平滑コンデンサＣ１の両端間において、トランスＴ１の一次巻線ｎ１に直列に接続されている。スイッチング素子Ｑ１がＭＯＳＦＥＴである場合、スイッチング素子Ｑ１のドレインがトランスＴ１の一次巻線ｎ１に接続されており、スイッチング素子Ｑ１のソースが平滑コンデンサＣ１の低圧側に電気的に接続されている。
【００３７】
ダイオードＤ１は、トランスＴ１の二次巻線ｎ２に直列に接続されている。より詳細には、ダイオードＤ１のアノードがトランスＴ１の二次巻線ｎ２に電気的に接続されており、ダイオードＤ１のカソードが平滑コンデンサＣ２に電気的に接続されている。
【００３８】
平滑コンデンサＣ２は、トランスＴ１の二次巻線ｎ２及びダイオードＤ１の直列回路に並列に接続されている。平滑コンデンサＣ２は、トランスＴ１の二次巻線ｎ２に誘起した電圧を平滑にする。
【００３９】
電圧検出回路２１１は、複数（図示例では２つ）の抵抗Ｒ１，Ｒ２と、コンデンサＣ３と、シャントレギュレータＳＲ１と、フォトカプラ２１３とを備える。
【００４０】
複数の抵抗Ｒ１，Ｒ２は、トランスＴ１の二次巻線ｎ２及びダイオードＤ１の直列回路に並列に接続されている。より詳細には、複数の抵抗Ｒ１，Ｒ２は、トランスＴ１の二次巻線ｎ２及びダイオードＤ１の直列回路と平滑コンデンサＣ２との接続点に接続されている。つまり、複数の抵抗Ｒ１，Ｒ２は、平滑コンデンサＣ２に並列に接続されている。
【００４１】
コンデンサＣ３は、トランスＴ１の二次巻線ｎ２及びダイオードＤ１の直列回路の両端において、抵抗Ｒ１に直列に接続されており、かつ、抵抗Ｒ２に並列に接続されている。
【００４２】
シャントレギュレータＳＲ１は、複数の抵抗Ｒ１，Ｒ２の低圧側とフォトカプラ２１３との間に接続されている。シャントレギュレータＳＲ１の制御端子は、抵抗Ｒ１と抵抗Ｒ２との接続点に電気的に接続されている。つまり、シャントレギュレータＳＲ１は、抵抗Ｒ１とコンデンサＣ３との間に電気的に接続されている。
【００４３】
フォトカプラ２１３は、発光素子としての発光ダイオード２１４と、受光素子としてのフォトトランジスタ２１５とを備える。発光ダイオード２１４のアノードは、抵抗Ｒ３に電気的に接続されており、発光ダイオード２１４のカソードは、シャントレギュレータＳＲ１に電気的に接続されている。発光ダイオード２１４には、抵抗Ｒ３を介して、制御電源からの電圧が印加される。
【００４４】
ＡＣ／ＤＣ制御部２１２は、トランスＴ１の二次巻線ｎ２の電圧に基づいて、スイッチング素子Ｑ１のオンオフを制御する。より詳細には、ＡＣ／ＤＣ制御部２１２は、例えば制御用ＩＣ（Integrated Circuit）である。ＡＣ／ＤＣ制御部２１２には、フォトカプラ２１３のフォトトランジスタ２１５が電気的に接続されている。ＡＣ／ＤＣ制御部２１２は、フォトカプラ２１３の出力に応じてスイッチング素子Ｑ１への制御信号を調整する。
【００４５】
（４．１．２）ＤＣ／ＤＣ変換部
ＤＣ／ＤＣ変換部２２は、図３に示すように、降圧回路２７を備える。ＤＣ／ＤＣ変換部２２は、電圧検出回路２２１と、電流検出回路２２２と、ＤＣ／ＤＣ制御部２２３とを備える。ＤＣ／ＤＣ変換部２２は、例えば、定電流出力の降圧チョッパ方式である。
【００４６】
降圧回路２７は、スイッチング素子Ｑ２と、インダクタＬ１と、ダイオードＤ２と、コンデンサＣ４とを備える。
【００４７】
スイッチング素子Ｑ２は、例えばｎチャネル・エンハンスメント型のＭＯＳＦＥＴであり、ＡＣ／ＤＣ変換部２１の高圧側の出力に電気的に接続されている。
【００４８】
インダクタＬ１は、スイッチング素子Ｑ２に直列に接続されている。
【００４９】
ダイオードＤ２は、ＡＣ／ＤＣ変換部２１の出力間において、スイッチング素子Ｑ２に直列に接続されている。より詳細には、ダイオードＤ２のアノードは、ＡＣ／ＤＣ変換部２１の低圧側の出力に電気的に接続されている。ダイオードＤ２のカソードは、スイッチング素子Ｑ２とインダクタＬ１の接続点に電気的に接続されている。
【００５０】
コンデンサＣ４は、ＡＣ／ＤＣ変換部２１の出力間において、スイッチング素子Ｑ２とインダクタＬ１との直列回路に並列に接続されている。コンデンサＣ４は、スイッチング素子Ｑ２、インダクタＬ１及びダイオードＤ２とで降圧された電圧を平滑する。
【００５１】
電圧検出回路２２１は、複数（図示例では２つ）の抵抗Ｒ４，Ｒ５とを備える。複数の抵抗Ｒ４，Ｒ５は、コンデンサＣ４の両端間において、互いに直列に接続されている。つまり、複数の抵抗Ｒ４，Ｒ５は、コンデンサＣ４に並列に接続されている。複数の抵抗Ｒ４，Ｒ５により、コンデンサＣ４で平滑された電圧の電圧値を検出することができる。
【００５２】
電流検出回路２２２は、抵抗Ｒ６を備える。抵抗Ｒ６は、ＤＣ／ＤＣ変換部２２の低圧側の入力とＤＣ／ＤＣ変換部２２の低圧側の出力との間に接続されている。つまり、抵抗Ｒ６は、ＤＣ／ＤＣ変換部２２の低圧側の入力とＤＣ／ＤＣ変換部２２の低圧側の出力とに電気的に接続されている。抵抗Ｒ６により、ＤＣ／ＤＣ変換部２２から出力される電流の電流値を検出することができる。
【００５３】
ＤＣ／ＤＣ制御部２２３は、ＤＣ／ＤＣ変換部２２の出力電圧及びＤＣ／ＤＣ変換部２２から出力される電流Ｉ１に基づいて、スイッチング素子Ｑ２のオンオフを制御する。より詳細には、ＤＣ／ＤＣ制御部２２３は、例えば制御用ＩＣである。ＤＣ／ＤＣ制御部２２３は、電圧検出回路２２１の出力と電流検出回路２２２の出力とに応じてスイッチング素子Ｑ２への制御信号を調整する。
【００５４】
上記のような構成のＤＣ／ＤＣ変換部２２は、ＡＣ／ＤＣ変換部２１から出力された定電圧を受け取り、定電流出力を行う。定電流の電流値は、調光信号受信部２３の出力レベルによって設定する。調光レベルが１００％である場合、ＤＣ／ＤＣ変換部２２は、発光素子５の定格電流を出力する。調光レベルが５０％である場合、ＤＣ／ＤＣ変換部２２は、発光素子５の定格電流の半分の電流を出力する。ＰＷＭ制御の場合、ＤＣ／ＤＣ変換部２２から出力される電流Ｉ１の電流値は、発光素子５の定格電流とする。調光レベルが１００％である場合、ＤＣ／ＤＣ変換部２２は、デューティ比１００％の電流を出力する。調光レベルが５０％である場合、ＤＣ／ＤＣ変換部２２は、デューティ比５０％の電流を出力する。
【００５５】
なお、ＤＣ／ＤＣ変換部２２は、発光素子５の電圧がＡＣ／ＤＣ変換部２１の出力電圧より低い場合、降圧チョッパ回路等の降圧型の回路を用いる。一方、発光素子５の電圧がＡＣ／ＤＣ変換部２１の出力電圧より高い場合、昇圧チョッパ回路等の昇圧型の回路を用いる。また、発光素子５の電圧がＡＣ／ＤＣ変換部２１の出力電圧より高いときと低いときとがある場合、昇降圧チョッパ回路等の昇降圧型の回路を用いる。
【００５６】
（４．１．３）調光信号受信部
調光信号受信部２３は、図１に示すように、調光器Ａ１から点灯制御信号を受信する。本開示において、点灯制御信号は、例えば、複数の発光素子５を点灯させるための点灯信号、複数の発光素子５を消灯させるための消灯信号、又は、複数の発光素子５を調光点灯させるための調光信号である。調光信号は、調光レベルを含み、例えばＰＷＭ（Pulse Width Modulation）方式で調光器Ａ１から送信される。例えば、デューティ比（一周期に対するオン期間の比）が小さいほど調光レベル（光量）が高く、デューティ比が大きいほど調光レベルが低い。調光信号受信部２３は、受信した点灯制御信号の制御内容をＤＣ／ＤＣ変換部２２のＤＣ／ＤＣ制御部２２３に出力する。
【００５７】
（４．２）光センサ
光センサ３１は、図４に示すように、単一のセンサであり、複数の発光素子５から放射される光を検出する。光センサ３１は、例えばフォトダイオードである。光センサ３１は、複数の発光素子５から放射される光の一部を検出する。具体的には、図５に示すように、光センサ３１は、複数の発光素子５から放射される光のうち光学部６から反射される光を検出する。光センサ３１は、検出部３２に電気的に接続されており、光センサ３１の検出結果は、検出部３２に出力される。
【００５８】
（４．３）検出部
検出部３２は、図１に示すように、光センサ３１で検出される光に基づいて複数の発光素子５の発光不良を検出する。検出部３２は、点灯部２と複数の発光素子５との間に設けられている。より詳細には、検出部３２は、点灯部２のＤＣ／ＤＣ変換部２２と複数の発光素子５との間に設けられている。
【００５９】
本開示において、「発光素子５の発光不良」とは、発光素子５に電流が流れないために発光素子５が光を放射しないという不良だけでなく、発光素子５に電流が流れているが、発光素子５の発振動作に問題が生じて発光素子５が光を放射しないという発振不良も含む。また、「発光素子５が光を放射しない」状態とは、発光素子５が光を全く放射しない状態だけでなく、発光素子５が想定の光を放射しない状態を含む。
【００６０】
検出部３２は、図４に示すように、２以上（図示例では４つ）のスイッチ３３と、処理部３４と、増幅部３５とを備える。
【００６１】
（４．３．１）スイッチ
２以上のスイッチ３３は、複数の発光素子５に並列に接続されている。各スイッチ３３は、例えば半導体リレー（ソリッド・ステート・リレー）であり、発光素子としての発光ダイオード３６と、受光素子としてのフォトトランジスタ３７とを有する。２以上のスイッチ３３のフォトトランジスタ３７は、点灯部２のＤＣ／ＤＣ変換部２２の出力間において、互いに直列に接続されている。さらに、各スイッチ３３において、発光ダイオード３６が処理部３４に接続されており、フォトトランジスタ３７が発光素子５と並列に接続されている。発光ダイオード３６のアノードが処理部３４に接続されており、発光ダイオード３６のカソードがＤＣ／ＤＣ変換部２２の低電圧側の出力に電気的に接続されている。各スイッチ３３は、発光ダイオード３６への処理部３４の制御により、フォトトランジスタ３７をオンオフする。
【００６２】
本実施形態では、２以上のスイッチ３３は、複数の発光素子５と一対一に対応し、対応する発光素子５に並列に接続されている。図４の例では、２以上のスイッチ３３は、第１スイッチ３３１と、第２スイッチ３３２と、第３スイッチ３３３と、第４スイッチ３３４とで構成されている。第１スイッチ３３１は第１発光素子５１に対応し、第２スイッチ３３２は第２発光素子５２に対応する。第３スイッチ３３３は第３発光素子５３に対応し、第４スイッチ３３４は第４発光素子５４に対応する。
【００６３】
各スイッチ３３において、フォトトランジスタ３７がオフ状態である場合、対応する発光素子５に電流が流れる。一方、フォトトランジスタ３７がオン状態である場合、対応する発光素子５の両端が短絡するため、対応する発光素子５に電流は流れない。例えば、第１スイッチ３３１のフォトトランジスタ３７がオフ状態である場合、第１発光素子５１に電流が流れる。一方、第１スイッチ３３１のフォトトランジスタ３７がオン状態である場合、第１発光素子５１に電流は流れない。同様に、第２スイッチ３３２のフォトトランジスタ３７がオフ状態である場合、第２発光素子５２に電流が流れる。一方、第２スイッチ３３２のフォトトランジスタ３７がオン状態である場合、第２発光素子５２に電流は流れない。第３スイッチ３３３のフォトトランジスタ３７がオフ状態である場合、第３発光素子５３に電流が流れる。一方、第３スイッチ３３３のフォトトランジスタ３７がオン状態である場合、第３発光素子５３に電流は流れない。第４スイッチ３３４のフォトトランジスタ３７がオフ状態である場合、第４発光素子５４に電流が流れる。一方、第４スイッチ３３４のフォトトランジスタ３７がオン状態である場合、第４発光素子５４に電流は流れない。
【００６４】
（４．３．２）増幅部
増幅部３５は、光センサ３１の出力を増幅するアンプである。増幅部３５は、光センサ３１の出力を増幅して処理部３４に出力する。
【００６５】
（４．３．３）処理部
処理部３４は、例えばマイクロコントローラであり、２以上のスイッチ３３を制御する。より詳細には、処理部３４は、２以上のスイッチ３３のオンオフを個別に制御して、複数の発光素子５の各々への電流供給を制御する。
【００６６】
処理部３４は、２以上のスイッチ３３を１つずつ順番にオン状態にしたときに、光センサ３１で検出される光の光量が変化しない場合に、複数の発光素子５の発光不良を検出する。以下、詳細について説明する。
【００６７】
処理部３４は、発光不良を検出する期間において、複数の発光素子５に対応する２以上のスイッチ３３を１つずつ順番にオン状態にし、光センサ３１にて、複数の発光素子５から放射される光を検出する。処理部３４は、増幅部３５を介して光センサ３１の検出値を取得する。処理部３４は、発光不良を検出する期間において、複数の発光素子５から放射される光の変化を検出する。
【００６８】
複数の発光素子５の各々において、発光素子５が正常である場合、対応するスイッチ３３がオン状態になって発光素子５が短絡すると、発光素子５が光を放射しなくなる。このため、複数の発光素子５から放射される光が減少する。つまり、光センサ３１の検出値が小さくなる。
【００６９】
一方、発光素子５が発光不良である場合、発光不良の発光素子５は、電流が流れていても、光を放射しない発振不良である可能性がある。つまり、発振不良の発光素子５に対応するスイッチ３３がオン状態になって発振不良の発光素子５の両端が短絡しても、発振不良の発光素子５は光を放射しないままである。このため、発振不良の発光素子５に対応するスイッチ３３がオン状態になる前後において、複数の発光素子５から放射される光は変化しない。つまり、発振不良の発光素子５に対応するスイッチ３３がオン状態になる前後において、光センサ３１の検出値は変化しない。処理部３４は、スイッチ３３がオン状態になる前後において光センサ３１の検出値が変化しない発光素子５を、発光不良の発光素子５として検出する。
【００７０】
上記より、複数の発光素子５に対応する２以上のスイッチ３３を１つずつ順番にオン状態にし、複数の発光素子５から放射される光の光量を光センサ３１にて検出することによって、複数の発光素子５の中から発光不良の発光素子５を検出することができる。
【００７１】
本実施形態では、処理部３４は、光センサ３１で検出された光量が閾値以上を維持した場合に、発光不良を検出する。閾値は、処理部３４のメモリのような記憶部にあらかじめ記憶されている。ここで、閾値は、光センサ３１で直近に検出された光の光量よりも低い値である。なお、閾値の初期値は、複数の発光素子５のうち１つの発光素子５から光を放射しないときに光センサ３１で検出される光量以上であり、かつ、複数の発光素子５の全てが光を放射するときに光センサ３１で検出される光量未満である。光センサ３１の検出値の９０％を閾値としているが、閾値は、光センサ３１の位置によって変更される値である。また、閾値は、発光素子５の数によっても変更される値である。
【００７２】
ここで、処理部３４が２以上のスイッチ３３を１つずつ順番にオン状態にしたときにおける切替間隔について説明する。上記切替間隔とは、発光不良検出処理の期間において、あるスイッチ３３がオン状態からオフ状態になった時点と別のスイッチ３３がオフ状態からオン状態に切り替わる時点との間の時間である。例えば第１スイッチ３３１がオン状態からオフ状態に切り替わる時点と第２スイッチ３３２がオフ状態からオン状態に切り替わる時点との間の時間である。上記切替間隔は１００ｍｓ以下であることが好ましい。より好ましくは、上記切替間隔は１０ｍｓ以下である。なお、スイッチ３３がオン状態である期間は、例えば３０ｍｓである。
【００７３】
これにより、複数の発光素子５に対して発光不良を検出する期間を短くすることができる。
【００７４】
ところで、通常時（２以上のスイッチ３３の全てがオフ状態である場合）において、光センサ３１で検出される光の光量が減少したとき、複数の発光素子５のうちの少なくとも１つが発光不良である可能性がある。このため、検出部３２は、光センサ３１で検出される光の光量が減少すると、発光不良検出処理を行う。より詳細には、光センサ３１の検出値が閾値より小さくなると、処理部３４は、２以上のスイッチ３３を１つずつ順番にオン状態にし、発光不良の発光素子５を検出する。
【００７５】
また、検出部３２は、複数の発光素子５の点灯初期に発光不良検出処理を行う。本開示において、「複数の発光素子５の点灯初期」とは、発光素子５に電流を供給し始めて光束が安定する状態の時点又は期間をいう。例えば、「複数の発光素子５の点灯初期」は、電源Ｐ１が投入された時点又は調光が行われた時点から数分以内である。「複数の発光素子５の点灯初期」は、電源Ｐ１が投入された時点又は調光が行われた時点から３秒以内であることが好ましい。言い換えると、「複数の発光素子５の点灯初期」とは、電源Ｐ１が投入された時点から第１期間が経過するまでの期間をいう。処理部３４は、電源Ｐ１が投入された時点から第１期間が経過するまでの間に、２以上のスイッチ３３を１つずつ順番にオン状態にし、発光不良の発光素子５を検出する。これにより、発光素子５が突然光を放射しなくなる場合であっても、発光不良の発光素子５を比較的早くに検出することができる。なお、電源Ｐ１が投入された時点から第２期間（第１期間よりも短い）が経過するまでは、複数の発光素子５からの光の光量が安定していない可能性があるため、処理部３４は、発光不良検出処理を行わないようにしてもよい。
【００７６】
ところで、本実施形態の処理部３４は、発光不良を検出した場合、発光不良の発光素子５に対応するスイッチ３３をオン状態にして、発光不良の発光素子５の両端を短絡する。例えば複数の発光素子５のうち第２発光素子５２が発光不良である場合、処理部３４は、第２発光素子５２の発光不良を検出すると、第２発光素子５２に対応する第２スイッチ３３２をオン状態にして、第２発光素子５２の両端を短絡する。点灯部２からの電流は、第１発光素子５１、第２スイッチ３３２のフォトトランジスタ３７、第３発光素子５３、第４発光素子５４に流れる。つまり、第２発光素子５２には電流が流れない。
【００７７】
これにより、複数の発光素子５から発光不良の発光素子５を電気的に除いた状態で使用を継続することができる。また、発光不良の発光素子５に電流が流れなくなるので、発光不良の発光素子５の発熱を低減させることができる。
【００７８】
さらに、本実施形態では、処理部３４は、発光不良を検出した場合、発光不良の発光素子５に対応するスイッチ３３をオン状態にして、発光不良の発光素子５の両端を短絡し、かつ、複数の発光素子５へ供給する電流を増加させる。例えば複数の発光素子５のうち第２発光素子５２が発光不良である場合、第２発光素子５２は光を放射しないため、複数の発光素子５のうち光を放射する発光素子５の数は３つとなる。このため、複数の発光素子５の全てが光を放射する場合に比べて、複数の発光素子５からの光の光量が減少する。ここで、処理部３４は、第２発光素子５２の発光不良を検出すると、点灯部２から複数の発光素子５へ供給する電流を増加させるように、点灯部２を制御する。例えば、発光不良により複数の発光素子５から放射される光の光量が低減するため、処理部３４は、複数の発光素子５への駆動電流を増加させる処理を行う。処理部３４は、ＤＣ／ＤＣ変換部２２のＤＣ／ＤＣ制御部２２３へ信号を出力し、駆動電流を増加させる。発光素子５の数が４つである場合、処理部３４は、駆動電流を約３０％程度増加させる。なお、２つ目の発光不良が発生した場合、処理部３４は、１つ目の発光不良が発生した場合に対して駆動電流を増加させない。つまり、処理部３４は、正常な場合と発光不良の発光素子５の数が１つ以上の場合との２つの場合で、駆動電流を切り替える。
【００７９】
これにより、第１発光素子５１、第３発光素子５３、及び第４発光素子５４に流れる電流が増加するので、第１発光素子５１、第３発光素子５３、及び第４発光素子５４から放射される光の光量を増加させることができる。
【００８０】
上記より、複数の発光素子５から発光不良の発光素子５を電気的に除いた状態であっても、複数の発光素子５から放射される光の光量の低減を緩和することができる。
【００８１】
また、本実施形態では、処理部３４は、点灯部２が調光制御を行っている間は、発光不良を検出する処理を停止する。点灯部２が調光制御を行っている間は、複数の発光素子５から放射される光の光量が変動する期間であるため、発光不良によって光量が変化しているのかどうかの判断が難しい。このため、調光制御を行っている間は、発光不良を検出する処理を停止する。
【００８２】
これにより、複数の発光素子５から放射される光の光量が調光制御によって変動している間では発光不良の検出を行わないので、発光不良の誤検出を低減させることができる。
【００８３】
一方、点灯部２は、検出部３２が発光不良を検出する処理を行っているときは、調光制御を行わない。上述したように、点灯部２が調光制御を行うと、複数の発光素子５から放射される光の光量が変動する。このため、検出部３２が発光不良を検出する処理を行っているときに、点灯部２が調光制御を行うと、発光不良によって光量が変化しているのかどうかの判断が難しい。したがって、検出部３２が発光不良を検出する処理を行っているときは、点灯部２は調光制御を行わない。
【００８４】
上記より、発光不良を検出する処理を行っているときに、複数の発光素子から放射される光の光量が変動する調光制御がないので、発光不良の誤検出を低減させることができる。
【００８５】
（５）動作例
以下、照明点灯装置１の動作例について説明する。具体的には、複数の発光素子５の点灯初期の動作例と、複数の発光素子５から放射される光が変化したときの例とを説明する。
【００８６】
（５．１）複数の発光素子の点灯初期の動作例
複数の発光素子５の点灯初期における照明点灯装置１の動作の例について図７を参照して説明する。図７の例では、第２発光素子５２が発光不良であり、第１発光素子５１、第３発光素子５３及び第４発光素子５４が正常である。
【００８７】
電源Ｐ１が投入されると、点灯部２が電流値ｉ１１の電流Ｉ１を複数の発光素子５に出力する（時刻ｔ１）。２以上のスイッチ３３の全てがオフ状態であるから、複数の発光素子５の全てに電流が流れ、複数の発光素子５の全てが光を放射する。光センサ３１は、複数の発光素子５からの光を検出し、検出値Ｅ２の検出結果を出力する。
【００８８】
その後、電源Ｐ１が投入されてから所定期間が経過するまでの間に、検出部３２は、発光不良検出処理を行う（時刻ｔ２〜時刻ｔ６）。
【００８９】
時刻ｔ２において、検出部３２が第１スイッチ３３１をオフからオンにする。第１スイッチ３３１がオン状態である期間（時刻ｔ２〜時刻ｔ３）、第１発光素子５１の両端が短絡されるため、第１発光素子５１に電流は流れない。第１発光素子５１が正常である場合、第１発光素子５１に電流が流れなくなるため、複数の発光素子５からの光が減少する。したがって、光センサ３１は、検出値Ｅ２よりも低い検出値Ｅ３の検出結果を出力する。一方、第１発光素子５１が発光不良である場合、複数の発光素子５からの光は一定のままである。したがって、光センサ３１は、検出値Ｅ２の検出結果を出力する。
【００９０】
時刻ｔ３において、検出部３２が第１スイッチ３３１をオンからオフにし、第２スイッチ３３２をオフからオンにする。第２スイッチ３３２がオン状態である期間（時刻ｔ３〜時刻ｔ４）、第２発光素子５２の両端が短絡されるため、第２発光素子５２に電流は流れない。しかしながら、第２発光素子５２は発光不良であるため、第２発光素子５２の両端が短絡される前においても、光を放射していない。したがって、光センサ３１は、検出値Ｅ２の検出結果を出力する。
【００９１】
時刻ｔ４において、検出部３２が第２スイッチ３３２をオンからオフにし、第３スイッチ３３３をオフからオンにする。第３スイッチ３３３がオン状態である期間（時刻ｔ４〜時刻ｔ５）、第３発光素子５３の両端が短絡されるため、第３発光素子５３に電流が流れない。第３発光素子５３は正常であるため、第３発光素子５３に電流が流れなくなると、光を放射しない。したがって、光センサ３１は、検出値Ｅ２よりも低い検出値Ｅ３の検出結果を出力する。
【００９２】
時刻ｔ５において、検出部３２が第３スイッチ３３３をオンからオフにし、第４スイッチ３３４をオフからオンにする。第４スイッチ３３４がオン状態である期間（時刻ｔ５〜時刻ｔ６）、第４発光素子５４の両端が短絡されるため、第４発光素子５４に電流が流れない。第４発光素子５４は正常であるため、第４発光素子５４に電流が流れなくなると、光を放射しない。したがって、光センサ３１は、検出値Ｅ２よりも低い検出値Ｅ３の検出結果を出力する。
【００９３】
発光不良検出処理が終了すると（時刻ｔ６）、検出部３２は、発光不良の第２発光素子５２に対応する第２スイッチ３３２をオン状態にして第２発光素子５２の両端を短絡させる。そして、検出部３２は、第１発光素子５１、第３発光素子５３及び第４発光素子５４への電流Ｉ１が電流値ｉ１２となるように、点灯部２のＤＣ／ＤＣ変換部２２を制御する。これにより、複数の発光素子５から放射される光の光量を、複数の発光素子５の全てが正常であるときの光の光量に近づけることができる。
【００９４】
上記より、電源Ｐ１がオンになると、照明点灯装置１は、発光不良検出処理を行う。第１スイッチ３３１から第４スイッチ３３４を順番にオンにすると、第２スイッチ３３２をオンにしたときのみ、光センサ３１の検出値が変化しないため、第２発光素子５２が発光不良であることがわかる。そして、照明点灯装置１は、第２スイッチ３３２をオン状態にして電流Ｉ１を電流値ｉ１１から電流値ｉ１２へ変更する。
【００９５】
（５．２）光センサの検出値が減少したときの動作例
光センサ３１の検出値が減少したときにおける照明点灯装置１の動作の例について図８を参照して説明する。図８の例では、第２発光素子５２が発光不良であり、第１発光素子５１、第３発光素子５３及び第４発光素子５４が正常である。
【００９６】
通常時において、点灯部２が電流値ｉ１１の電流Ｉ１を複数の発光素子５に出力する。２以上のスイッチ３３の全てがオフ状態であるから、複数の発光素子５の全てに電流が流れ、複数の発光素子５の全てが光を放射する。光センサ３１は、複数の発光素子５からの光を検出し、検出値Ｅ１の検出結果を出力する。
【００９７】
時刻ｔ１において、複数の発光素子５から放射される光が減少すると、光センサ３１の検出結果が検出値Ｅ１から検出値Ｅ２に減少する。検出部３２は、光変化を検出すると、発光不良検出処理を行う（時刻ｔ２〜時刻ｔ６）。
【００９８】
時刻ｔ２において、検出部３２が第１スイッチ３３１をオフからオンにする。第１スイッチ３３１がオン状態である期間（時刻ｔ２〜時刻ｔ３）、第１発光素子５１の両端が短絡されるため、第１発光素子５１に電流は流れない。第１発光素子５１が正常である場合、第１発光素子５１に電流が流れなくなるため、複数の発光素子５からの光が減少する。したがって、光センサ３１は、検出値Ｅ２よりも低い検出値Ｅ３の検出結果を出力する。
【００９９】
時刻ｔ３において、検出部３２が第１スイッチ３３１をオンからオフにし、第２スイッチ３３２をオフからオンにする。第２スイッチ３３２がオン状態である期間（時刻ｔ３〜時刻ｔ４）、第２発光素子５２の両端が短絡されるため、第２発光素子５２に電流は流れない。しかしながら、第２発光素子５２は発光不良であるため、第２発光素子５２の両端が短絡される前においても、光を放射していない。したがって、光センサ３１は、検出値Ｅ２の検出結果を出力する。
【０１００】
時刻ｔ４において、検出部３２が第２スイッチ３３２をオンからオフにし、第３スイッチ３３３をオフからオンにする。第３スイッチ３３３がオン状態である期間（時刻ｔ４〜時刻ｔ５）、第３発光素子５３の両端が短絡されるため、第３発光素子５３に電流が流れない。第３発光素子５３は正常であるため、第３発光素子５３に電流が流れなくなると、光を放射しない。したがって、光センサ３１は、検出値Ｅ２よりも低い検出値Ｅ３の検出結果を出力する。
【０１０１】
時刻ｔ５において、検出部３２が第３スイッチ３３３をオンからオフにし、第４スイッチ３３４をオフからオンにする。第４スイッチ３３４がオン状態である期間（時刻ｔ５〜時刻ｔ６）、第４発光素子５４の両端が短絡されるため、第４発光素子５４に電流が流れない。第４発光素子５４は正常であるため、第４発光素子５４に電流が流れなくなると、光を放射しない。したがって、光センサ３１は、検出値Ｅ２よりも低い検出値Ｅ３の検出結果を出力する。
【０１０２】
発光不良検出処理が終了すると（時刻ｔ６）、検出部３２は、発光不良である第２発光素子５２に対応する第２スイッチ３３２をオン状態にして第２発光素子５２の両端を短絡させる。そして、検出部３２は、第１発光素子５１、第３発光素子５３及び第４発光素子５４への電流Ｉ１が電流値ｉ１２となるように、点灯部２のＤＣ／ＤＣ変換部２２を制御する。これにより、複数の発光素子５から放射される光の光量を、複数の発光素子５の全てが正常であるときの光の光量に近づけることができる。
【０１０３】
電源Ｐ１がオフになると（時刻ｔ７）、複数の発光素子５への電流供給も停止する。また、第２スイッチ３３２はオフ状態となる。
【０１０４】
上記より、第２発光素子５２の発光不良により、光センサ３１の検出値が減少することによって、照明点灯装置１は、発光不良検出処理を行う。第１スイッチ３３１から第４スイッチ３３４を順番にオンにすると、第２スイッチ３３２をオンにしたときのみ、光センサ３１の検出値が変化しないため、第２発光素子５２が発光不良であることがわかる。そして、照明点灯装置１は、第２スイッチ３３２をオン状態にして電流Ｉ１を電流値ｉ１１から電流値ｉ１２へ変更する。
【０１０５】
（６）照明点灯装置の動作
以下、照明点灯装置１の動作（照明点灯装置１を用いた照明点灯方法）について、図９を参照して説明する。
【０１０６】
電源Ｐ１から照明点灯装置１への電力供給をオンにする（ステップＳ１）。照明点灯装置１において、検出部３２の処理部３４は、複数の発光素子５の点灯初期からの時間を計測する。その後、照明点灯装置１は、複数の発光素子５への電流Ｉ１の供給を開始する（ステップＳ２）。照明点灯装置１は、電流値ｉ１１の電流Ｉ１を複数の発光素子５へ供給する。電流値ｉ１１は定常値である。
【０１０７】
照明点灯装置１において、処理部３４は、複数の発光素子５から放射されて光センサ３１で検出された光を測定する（ステップＳ３）。光センサ３１は、複数の発光素子５から放射される光を検出し、検出値を処理部３４に出力する。処理部３４は、閾値を設定する（ステップＳ４）。処理部３４は、例えば現在の検出値の０．９倍を閾値とする。処理部３４は、発光素子５の数によって閾値を変える。
【０１０８】
処理部３４は、２以上のスイッチ３３を１つずつ順番にオンにし、光センサ３１の検出値を確認する（ステップＳ５）。光センサ３１の検出値が変化しないスイッチ３３がない場合（ステップＳ８の「Ｎｏ」）、処理部３４は、複数の発光素子５から放射されて光センサ３１で検出された光を読み込む（ステップＳ７）。処理部３４は、閾値を設定する（ステップＳ８）。処理部３４は、例えば現在の測定値の０．９倍を閾値とする。
【０１０９】
その後、調光信号受信部２３が、複数の発光素子５を消灯させるための消灯信号を受信しない場合（ステップＳ９の「Ｎｏ」）、処理部３４は、光センサ３１の検出値と閾値とを比較する（ステップＳ１０）。光センサ３１の検出値が閾値以上である場合（ステップＳ１０の「Ｎｏ」）、ステップＳ７に戻る。
【０１１０】
光センサ３１の検出値が閾値未満である場合（ステップＳ１０の「Ｙｅｓ」）、オン状態になっているスイッチ３３が３つでないとき（ステップＳ１１の「Ｎｏ」）、処理部３４は、２以上のスイッチ３３を１つずつ順番にオンにし、光センサ３１の検出値を確認する（ステップＳ５）。
【０１１１】
ステップＳ６において、光センサ３１の検出値が変化しないスイッチ３３がある場合（ステップＳ６の「Ｙｅｓ」）、処理部３４は、当該スイッチ３３をオンにする（ステップＳ１２）。さらに、処理部３４は、複数の発光素子５への電流Ｉ１を増加させる（ステップＳ１３）。その後、ステップＳ７へ進む。
【０１１２】
ステップＳ９において、調光信号受信部２３が消灯信号を受信した場合（ステップＳ９の「Ｙｅｓ」）、電源Ｐ１からの電力供給を停止する（ステップＳ１４）。同様に、ステップＳ１１において、オン状態のスイッチ３３が３つであるときも（ステップＳ１１の「Ｙｅｓ」）、電源Ｐ１からの電力供給を停止する（ステップＳ１４）。
【０１１３】
上記の動作により、照明点灯装置１は、発光不良の発光素子５を検出することができる。つまり、照明点灯装置１は、電流が流れていても光を放射しない発光素子５を検出することができる。
【０１１４】
（７）効果
照明点灯装置１では、２以上のスイッチ３３を１つずつオン状態にしたときに、複数の発光素子５から放射されて一の光センサ３１で検出される光の光量が変化しない場合に、複数の発光素子５の発光不良を検出する検出部３２が設けられている。これにより、電流が流れているが光を放射しない発光素子５つまり発光不良の発光素子５を精度よく検出することができる。複数の発光素子５へ供給される電流又は複数の発光素子５へ印加される電圧に基づいて発光不良の発光素子５を検出する場合に比べて、発光不良の発光素子５の検出精度を高めることができる。
【０１１５】
照明点灯装置１では、検出部３２が複数の発光素子５の点灯初期に発光不良検出処理を行う。これにより、発光素子５が突然光を放射しなくなる場合であっても、発光不良の発光素子５を比較的早くに検出することができる。また、複数の発光素子５の点灯初期に毎回、発光不良検出処理を行うことによって、発光素子５の発光不良の誤検出及び未検出を低減する。
【０１１６】
照明点灯装置１では、２以上のスイッチ３３が複数の発光素子５と一対一に対応して設けられている。これにより、あるスイッチ３３をオン状態にしたときに、複数の発光素子５から放射される光の光量が変化しなかった場合、どの発光素子５が発光不良になっているかを直ちに検出することができる。
【０１１７】
照明点灯装置１では、処理部３４が、発光不良を検出した場合、発光不良の発光素子５を短絡する。これにより、複数の発光素子５から発光不良の発光素子５を電気的に除いた状態で使用を継続することができる。また、発光不良の発光素子５に電流が流れなくなるので、発光不良の発光素子５の発熱を低減させることができる。
【０１１８】
照明点灯装置１では、処理部３４が、発光不良を検出した場合、発光不良の発光素子５の両端を短絡し、かつ、複数の発光素子５へ供給する電流を増加させる。これにより、複数の発光素子５から発光不良の発光素子５を電気的に除いた状態であっても、複数の発光素子５から放射される光の光量の低減を緩和することができる。
【０１１９】
照明点灯装置１では、閾値を直近の値から設定することによって、発光素子５の温度特性による変化、又は、発光素子５の寿命による変化など、緩やかな変化によって誤検出を低減させることができる。
【０１２０】
照明点灯装置１では、光センサ３１で検出される光の光量が低下すると、検出部３２が発光不良検出処理を行う。これにより、発光不良が発生した場合に、発光不良を早期に検出することができる。
【０１２１】
照明点灯装置１では、点灯部２が調光制御を行っている間、検出部３２が発光不良検出処理を停止する。これにより、複数の発光素子５から放射される光の光量が調光制御によって変動している間では発光不良の検出を行わないので、発光不良の誤検出を低減させることができる。
【０１２２】
照明点灯装置１では、検出部３２が発光不良検出処理を行っているときに、点灯部２が調光制御を行わない。これにより、発光不良検出処理を行っているときに、複数の発光素子５から放射される光の光量が変動する調光制御がないので、発光不良の誤検出を低減させることができる。
【０１２３】
照明点灯装置１では、オン状態にするスイッチ３３の切替間隔が１００ｍｓ以下である。これにより、複数の発光素子５に対して発光不良を検出する期間を短くすることができる。
【０１２４】
照明器具７では、光ファイバ８が設けられている。これにより、照明装置４の配置に関係なく、発光部９を様々な場所に配置することができる。
【０１２５】
（８）変形例
以下、本実施形態の変形例について説明する。
【０１２６】
本実施形態では、図５に示すように、照明装置４と発光部９とが別体に設けられているが、本実施形態の変形例として、図１０に示すように、照明装置４ａと発光部９ａとが一体に設けられていてもよい。本変形例に係る照明器具７ａは、照明装置４ａと、発光部９ａとを備える。照明装置４ａの構成要素及び発光部９ａの構成要素は、１つの筐体に収容されている。照明装置４ａと発光部９ａとが一体に設けられているため、光ファイバ８は不要である。なお、照明装置４ａは、筐体４１を備える点以外において、照明装置４と同様の機能を有する。発光部９ａは、筐体９３を備える点以外において、発光部９と同様の機能を有する。
【０１２７】
複数の発光素子５の各々は、レーザダイオード以外の固体発光素子であってもよい。複数の発光素子５の各々は、例えばＬＥＤ（Light Emitting Diode）であってもよい。
【０１２８】
光センサ３１は、フォトダイオード以外の光検出素子であってもよい。光センサ３１は、例えばフォトトランジスタ、太陽電池又はＣｄＳセルであってもよい。
【０１２９】
２以上のスイッチ３３は、複数の発光素子５と一対一に対応することに限定されず、２以上のスイッチ３３の少なくとも１つは、複数の発光素子５と一対多に対応してもよい。例えば、第１スイッチ３３１〜第４スイッチ３３４の各々が、互いに異なる２以上の発光素子５と対応してもよい。あるいは、第１スイッチ３３１が２以上の発光素子５と対応し、第２スイッチ３３２、第３スイッチ３３３及び第４スイッチ３３４の各々が１つの発光素子５と対応してもよい。
【０１３０】
ＡＣ／ＤＣ変換部２１とＤＣ／ＤＣ変換部２２とが一体であって、電源Ｐ１からの入力電圧に基づいて、直流の定電流を出力する回路を構成してもよい。
【０１３１】
ＡＣ／ＤＣ変換部２１は、非絶縁型のコンバータであってもよい。ＡＣ／ＤＣ変換部２１は、フライバック方式に限定されず、チョッパ方式であってもよい。
【０１３２】
ＤＣ／ＤＣ変換部２２は、チョッパ方式に限定されず、絶縁型のコンバータであってもよい。ＤＣ／ＤＣ変換部２２は、発光素子５の電圧とＡＣ／ＤＣ変換部２１の出力電圧との関係によって、昇圧チョッパ又は昇降圧チョッパであってもよい。
【０１３３】
上記の各変形例においても、本実施形態と同様の効果を奏する。
【０１３４】
以上説明した実施形態及び変形例は、本開示の様々な実施形態及び変形例の一部に過ぎない。また、実施形態及び変形例は、本開示の目的を達成できれば、設計等に応じて種々の変更が可能である。
【０１３５】
（態様）
以上説明した実施形態及び変形例より以下の態様が開示されている。
【０１３６】
第１の態様に係る照明点灯装置（１）は、直列に接続された複数の発光素子（５）を点灯させる。照明点灯装置（１）は、一の光センサ（３１）と、検出部（３２）とを備える。光センサ（３１）は、複数の発光素子（５）から放射される光を検出する。検出部（３２）は、光センサ（３１）で検出される光に基づいて複数の発光素子（５）の発光不良を検出する。検出部（３２）は、複数の発光素子（５）の点灯初期に発光不良検出処理を行う。
【０１３７】
第１の態様に係る照明点灯装置（１）によれば、電流が流れているが光を放射しない発光素子（５）つまり発光不良の発光素子（５）を精度よく検出することができる。複数の発光素子（５）へ供給される電流又は複数の発光素子（５）へ印加される電圧に基づいて発光不良の発光素子（５）を検出する場合に比べて、発光不良の発光素子（５）の検出精度を高めることができる。
【０１３８】
また、第１の態様に係る照明点灯装置（１）によれば、発光素子（５）が突然光を放射しなくなる場合であっても、発光不良の発光素子（５）を比較的早くに検出することができる。また、複数の発光素子（５）の点灯初期に毎回、発光不良検出処理を行うことによって、発光素子（５）の発光不良の誤検出及び未検出を低減する。
【０１３９】
第２の態様に係る照明点灯装置（１）では、第１の態様において、検出部（３２）は、２以上のスイッチ（３３）と、処理部（３４）とを有する。２以上のスイッチ（３３）は、複数の発光素子（５）に並列に接続されている。処理部（３４）は、２以上のスイッチ（３３）を１つずつ順番にオン状態にすることによって、複数の発光素子（５）の発光不良を検出する。
【０１４０】
第３の態様に係る照明点灯装置（１）では、第２の態様において、２以上のスイッチ（３３）は、複数の発光素子（５）と一対一に対応し、対応する発光素子（５）に並列に接続されている。
【０１４１】
第３の態様に係る照明点灯装置（１）によれば、あるスイッチ（３３）をオン状態にしたときに、光量が変化しなかった場合、どの発光素子（５）が発光不良になっているかを直ちに検出することができる。
【０１４２】
第４の態様に係る照明点灯装置（１）では、第２又は３の態様において、処理部（３４）は、発光不良を検出した場合、発光不良の発光素子（５）に対応するスイッチ（３３）をオン状態にして、発光不良の発光素子（５）の両端を短絡する。
【０１４３】
第４の態様に係る照明点灯装置（１）によれば、複数の発光素子（５）から発光不良の発光素子（５）を電気的に除いた状態で使用を継続することができる。また、発光不良の発光素子（５）に電流が流れなくなるので、発光不良の発光素子（５）の発熱を低減させることができる。
【０１４４】
第５の態様に係る照明点灯装置（１）では、第４の態様において、処理部（３４）は、発光不良を検出した場合、発光不良の発光素子（５）に対応するスイッチ（３３）をオン状態にして、発光不良の発光素子（５）の両端を短絡し、かつ、複数の発光素子（５）へ供給する電流を増加させる。
【０１４５】
第５の態様に係る照明点灯装置（１）によれば、複数の発光素子（５）から発光不良の発光素子（５）を電気的に除いた状態であっても、複数の発光素子（５）から放射される光の光量の低減を緩和することができる。
【０１４６】
第６の態様に係る照明点灯装置（１）では、第２〜５の態様のいずれか１つにおいて、処理部（３４）は、光センサ（３１）で検出される光の光量が閾値以上を維持した場合に、発光不良を検出する。閾値は、光センサ（３１）で直近に検出された光の光量よりも低い値である。
【０１４７】
第６の態様に係る照明点灯装置（１）によれば、閾値を直近の値から設定することによって、発光素子（５）の温度特性による変化、又は、発光素子（５）の寿命による変化など、緩やかな変化によって誤検出を低減させることができる。
【０１４８】
第７の態様に係る照明点灯装置（１）では、第２〜６の態様のいずれか１つにおいて、処理部（３４）が２以上のスイッチ（３３）を１つずつ順番にオン状態にしたときにおける切替間隔は１００ｍｓ以下である。
【０１４９】
第７の態様に係る照明点灯装置（１）によれば、複数の発光素子（５）に対して発光不良を検出する期間を短くすることができる。
【０１５０】
第８の態様に係る照明点灯装置（１）では、第１〜７の態様のいずれか１つにおいて、検出部（３２）は、光センサ（３１）で検出される光の光量が低下すると、発光不良検出処理を行う。
【０１５１】
第８の態様に係る照明点灯装置（１）によれば、発光不良が発生した場合に、発光不良を早期に検出することができる。
【０１５２】
第９の態様に係る照明点灯装置（１）は、第１〜８の態様のいずれか１つにおいて、点灯部（２）を更に備える。点灯部（２）は、複数の発光素子（５）を調光点灯させる調光機能を有する。検出部（３２）は、点灯部（２）が調光制御を行っている間は、発光不良検出処理を停止する。
【０１５３】
第９の態様に係る照明点灯装置（１）によれば、複数の発光素子（５）から放射される光の光量が調光制御によって変動している間では発光不良の検出を行わないので、発光不良の誤検出を低減させることができる。
【０１５４】
第１０の態様に係る照明点灯装置（１）は、第１〜９の態様のいずれか１つにおいて、点灯部（２）を更に備える。点灯部（２）は、複数の発光素子（５）を調光点灯させる調光機能を有する。点灯部（２）は、検出部（３２）が発光不良検出処理を行っているときは、調光制御を行わない。
【０１５５】
第１０の態様に係る照明点灯装置（１）によれば、発光不良検出処理を行っているときに、複数の発光素子（５）から放射される光の光量が変動する調光制御がないので、発光不良の誤検出を低減させることができる。
【０１５６】
第１１の態様に係る照明点灯装置（１）では、第１〜１０の態様のいずれか１つにおいて、複数の発光素子（５）の各々は、レーザダイオードである。
【０１５７】
第１２の態様に係る照明装置（４；４ａ）は、第１〜１１の態様のいずれか１つの照明点灯装置（１）と、複数の発光素子（５）と、光学部（６）とを備える。光学部（６）は、複数の発光素子（５）から放射される光を導光する。
【０１５８】
第１２の態様に係る照明装置（４；４ａ）によれば、照明点灯装置（１）において、電流が流れているが光を放射しない発光素子（５）つまり発光不良の発光素子（５）を精度よく検出することができる。複数の発光素子（５）へ供給される電流又は複数の発光素子（５）へ印加される電圧に基づいて発光不良の発光素子（５）を検出する場合に比べて、発光不良の発光素子（５）の検出精度を高めることができる。
【０１５９】
第１３の態様に係る照明器具（７；７ａ）は、第１２の態様の照明装置（４；４ａ）と、発光部（９；９ａ）とを備える。発光部（９；９ａ）は、照明点灯装置（１）の光学部（６）からの光を放射する。
【０１６０】
第１３の態様に係る照明器具（７；７ａ）によれば、照明点灯装置（１）において、電流が流れているが光を放射しない発光素子（５）つまり発光不良の発光素子（５）を精度よく検出することができる。複数の発光素子（５）へ供給される電流又は複数の発光素子（５）へ印加される電圧に基づいて発光不良の発光素子（５）を検出する場合に比べて、発光不良の発光素子（５）の検出精度を高めることができる。
【０１６１】
第１４の態様に係る照明器具（７）は、第１３の態様において、光ファイバ（８）を更に備える。光ファイバ（８）は、照明点灯装置（１）の光学部（６）からの光を発光部（９）に導光する。
【０１６２】
第１４の態様に係る照明器具（７）によれば、照明装置（４）の配置に関係なく、発光部（９）を様々な場所に配置することができる。
【符号の説明】
【０１６３】
１  照明点灯装置
２  点灯部
３１  光センサ
３２  検出部
３３  スイッチ
３４  処理部
４，４ａ  照明装置
５  発光素子
６  光学部
７，７ａ  照明器具
８  光ファイバ
９，９ａ  発光部
【図１】
2020057480.tif 000003
【図２】
2020057480.tif 000004
【図３】
2020057480.tif 000005
【図４】
2020057480.tif 000006
【図５】
2020057480.tif 000007
【図６】
2020057480.tif 000008
【図７】
2020057480.tif 000009
【図８】
2020057480.tif 000010
【図９】
2020057480.tif 000011
【図１０】
2020057480.tif 000012